(57)【要約】【課題】  製作が容易で、蓋体からの摺動体の脱落を防止できる電子機器を得ることを目的とする。【解決手段】  本体２Ｂの前面を覆う蓋体２Ａの周壁２２に設けられた摺動溝６２から露出した、摺動体６３の摘み６３ｅの移動に追随して調整される被調整体を有する電子機器において、周壁２２から一定の間隔を隔てて蓋体２Ａの内面に、周壁２２に平行な突条片６１を形成し、その突条片６１と周壁２２との間に、摺動体６３からなるスライドスイッチを設ける。  摺動体６３は、一方の片に形成され、周壁に当接する弾性的に変形自在の腕片６３ｂと、他方の片に形成された脚片６３ｃとを有する摺動板６３ａから構成され、摺動体は、摘みを摺動溝に挿入してから、蓋体側に押し付け、腕片を変形させながら脚片の先端を突条片に押し込んで、蓋体の周壁とその突条片との間に嵌着される。【選択図】図１４ 
2005347744.tif 000002
【特許請求の範囲】
【請求項１】
本体の前面を覆う蓋体の周壁に設けられた摺動溝から露出した、摺動体の摘みの移動に追随して調整される被調整体を有する電子機器において、
前記周壁から一定の間隔を隔てて蓋体の内面に設けられた前記周壁に平行な突条片を備え、
前記摺動体は、一方の片に形成され、前記周壁に当接する弾性的に変形自在の腕片と、他方の片に形成された脚片とを有する摺動板から構成されることを特徴とする電子機器。
【請求項２】
前記摺動体は、前記摘みを前記摺動溝に挿入してから前記蓋体側に押し付け、前記腕片を変形させながら前記脚片の先端を前記突条片に押し込むことにより蓋体の周壁とその突条片との間に嵌着されることを特徴とする請求項１記載の電子機器。
【請求項３】
前記摺動体は、ほぼ直角に折り曲げられて形成され、前記腕片から前記脚片までの長さが、前記突条片と前記周壁との間隔よりやや大きく成型されることを特徴とする請求項１又は請求項２記載の電子機器。
【発明の詳細な説明】
【技術分野】
【０００１】
近時、多階層の建築物で構成された集合住宅には、全階層の住戸毎に住宅情報盤を設置して防災や防犯等のセキュリティ機能を有する集合住宅システムが採用されている。各住戸に設置された住宅情報盤には、ドアホンを介して天井面の火災感知器等が接続される。また、住宅情報盤にはモニタも付設されて、同一住宅棟の集合玄関に設けられた集合玄関機や各棟内の管理室等に設置された通話制御装置や映像制御装置等も接続される。そして、各階層の住戸の居住者は自宅に設置された住宅情報盤を利用して、来訪者の来訪内容や管理室との防犯・防災等に関して音声や映像を通した情報の授受を行なうことができる。
【０００２】
本発明は、筐体及びその筐体を用いた電子機器に係り、さらに詳しくは、例えば上述したような集合住宅システムにおける住宅情報盤等に用いられる電子機器に関するものである。
【背景技術】
【０００３】
一般に、この種の従来の集合住宅システムを構成する住宅情報盤等の筐体は、壁面等に取り付けられた本体とその前面の蓋体とからなる角箱型の樹脂で成型される。壁面等に取り付けられた本体の１辺部がヒンジなどの係合機構を利用して蓋体を連結し、本体側の対向辺の複数箇所にインサートされた雌ネジに普通のネジを螺入して蓋体を本体に装着するような構成が採用されていた。また、回路部品を実装したプリント基板や電源トランス等を本体の内壁面に突出させた太さが一様な円柱状のボス上に位置決めして、少なくとも四隅に設けられた固定ネジで固定するようなことも行われていた。
【特許文献１】実開昭６１−１６１９２５号公報
【発明の開示】
【発明が解決しようとする課題】
【０００４】
従来の住宅情報盤等に用いられた筐体には、上記のように壁面等に取り付けられた輪郭形状が角箱型の本体の辺部に普通のネジで蓋体側を固定するような構造が採用されていた。したがって、壁面に取り付けられた角箱型の筐体の角部が張り出しているので、突出した角部に手指等を接触させて怪我をする心配がある。また、筐体の形状が通俗的な角箱型になっていて斬新さに劣るので、インテリア商品と看なされたときのデザイン上にも難点があって商品の価値を実質以下に見下げられる恐れもあった。
【０００５】
また、普通のネジを本体側のインサートナットに螺合して蓋体を本体に固定するので、蓋体の着脱時に装着用のネジを紛失するようなことがある。また摘みにより摺動体を摺動して被調整体を調整する摺動体が蓋体から脱落する等の問題点があった。
【０００６】
本発明は、上述のような従来の電子機器の問題点を解消するためになされたもので、簡単な構成で、被調整体を調整する摺動体の蓋体からの脱落を防止する電子機器を実現することを目的とするものである。
【課題を解決するための手段】
【０００７】
本発明は、本体の前面を覆う蓋体の周壁に設けられた摺動溝から露出した、摺動体の摘みの移動に追随して調整される被調整体を有する電子機器において、周壁から一定の間隔を隔てて蓋体の内面に設けられた前記周壁に平行な突条片を備え、摺動体は、一方の片に形成され、前記周壁に当接する弾性的に変形自在の腕片と、他方の片に形成された脚片とを有する摺動板から構成されることを特徴とするものである。
【０００８】
また、摺動体は、前記摘みを前記摺動溝に挿入してから前記蓋体側に押し付け、前記腕片を変形させながら前記脚片の先端を前記突条片に押し込むことにより蓋体の周壁とその突条片との間に嵌着されることを特徴とするものである。
【発明の効果】
【０００９】
本発明は、以上のように構成されるので、摺動体の脱落を防止することが可能となり、また摺動体を一体成型の単一部品で構成したので製作が容易かつコスト安になるばかりか、滑り易い樹脂材を用いたので摺動切換が円滑になる。
【発明を実施するための最良の形態】
【００１０】
実施の形態１．以下、本発明の実施の形態を前述の住宅情報盤に適用した場合を例示して、図面により説明する。図１は本発明の実施の形態１の構成を示す正面図、図２は図１の底面図、図３は図１の左側面図、図４は図１の右側面図、図５は表示部の表示状態を示す正面図、図６は内部構造を示す筐体の縦断面図である。
【００１１】
図１乃至図６において、１は住宅情報盤、２は住宅情報盤１の筐体である。３は筐体２の前面に懸架された送受話器、４はスピーカ、５は例えば透明や暗色半透明のパネル５ａを設けた操作部である。６は第１基板、７は四角形の一隅を切り落とした鍵形の第２基板（図９）、８は電源トランスである。筐体２は内部に収容室２０を備えた角箱状に成型され、図６に示すように収容室２０の内部にはスピーカ４や電源トランス８等の電子部品が収容されている。筐体２は樹脂で成型され、２Ａは筐体２の前面の蓋体、２Ｂは背面側の本体である。蓋体２Ａと本体２Ｂの成型構造が、図７乃至図１１に示されている。
【００１２】
２１は蓋体２Ａの蓋板、２２は蓋板２１の四辺を折り曲げて背面側に延長した周壁である。蓋板２１の表面にはアリ溝が形成されて、操作部５のパネル５ａが着脱自在に嵌合される。また、２３と２４は本体２Ｂの底板と側壁、２５は側壁２４の上端からほぼ直角に周囲に張り出したフランジ、２６はフランジ２５の前面に形成されて切欠部により部分的に欠落した周壁である。側壁２４は底板２３の左右，上下の四辺を囲んで、奥行きの容積が僅かに狭くなるように傾斜している。
【００１３】
筐体２の前面側を構成する蓋体２Ａには、スピーカ４と制御機能等を果たす回路部品（不図示）を実装した第１基板６が取り付けられる。また、第２基板７と電源トランス８は本体２Ｂ側の底板２３に固定される（図６）。２７はフランジ２５の四隅に貫通した長孔、２８は本体２Ｂの上，下に設けられた配線の導出口である。長孔２７に挿入された取付用のネジで本体２Ｂのフランジ２５の裏側を住戸の壁面等を取付面９として本体２Ｂが取り付けられてから、本体２Ｂ側の周壁２６に蓋体２Ａの周壁２２が嵌め合わされて蓋体２Ａがその前面に装着されるようになっている。上述のような構造に成型された蓋体２Ａと本体２Ｂの所定の位置に、以下に説明する懸架機構等の本発明の特徴的な機構部を備えた住宅情報盤１が構成される。
【００１４】
Ｉ．懸架機構図７，図８等に示すように、３０は送受話器３を懸架する懸架機構で、蓋体２Ａの蓋板２１に設けられている。３１は蓋体２Ａの左側辺に直径を沿わせた半球面状の凹穴部、３２は凹穴部３１を上下に挟む船底形の懸架部、３３は上の懸架部３２に設けられた貫通孔、３４は貫通孔３３の前面下端に設けられた突起部である。また、送受話器３において、３５は把持部、３６はコード、３７は受話部に形成された引っ掛け孔（図５の点線）、３８はスプーン状の揺動体、３９はフックスイッチである。揺動体３８は蓋体２Ａの背面側で前後方向に揺動可能に垂下され、その下端の膨出部が貫通孔３３に対面している。
【００１５】
一方、パネル５ａを取り付けた蓋体２Ａの表面と送受話器３の把持部３５は図４に示すように、それぞれ上下方向のほぼ中心を通る水平面上を中心軸としてｒ１＞ｒ２なる大小２つの半径ｒ１とｒ２の一様な円弧面で構成されている。そして、引っ掛け孔３７を突起部３４に嵌め合わせると図３に示すように、送受話器３の受話部と送話部がそれぞれ上下の懸架部３２内に収まって筐体２の前面に懸架される。筐体２と送受話器３に薄型の感覚を与える調和のとれたｒ１とｒ２の円弧面を形成したので、優れたデザインで商品価値が高められることは勿論のこと、尖った角部で怪我をするようなことも発生しない。
【００１６】
そのほか、送受話器３の懸架部３２への懸架状態においては、小さい半径ｒ２の円弧を持つ把持部３５を球面状の凹穴部３１の前面で間隔を空けて対向させている。したがって、続いて説明する放音孔の配置位置を送受話器３の懸架位置と重複させているにも拘わらず、放音孔の放音動作に支障を与えないようになっている。しかも、凹穴部３１の球面の直径が蓋体２Ａの左側辺に沿って抉られているので、指先を差し込んで把持部３５を握る左手の把持動作も容易になる。送受話機３の懸架と取り外しにより、揺動体３８を介してリンガと通話回路を切り換えるフックスイッチ３９が自動的にＯＮ・ＯＦＦされる。
【００１７】
II．スピーカ機構図８において、４０はスピーカ４を固定するためのスピーカ機構で、蓋体２Ａの背面側に構成される。４１は多数の平行溝で構成する放音孔、４２はコーン部が嵌入される円形壁、４３は円形壁４２の内壁に接して２箇所に形成された柱状の受け柱、４４は門形の支点枠、４５はネジボスで、これらは何れも蓋体２Ａの成型時に一体に形成される。放音孔４１は凹穴部３１内で傾斜しており、表と裏を僅かにずらせた互い違いの溝で構成されている。また、受け柱４３は、放音孔４１の傾斜したコーン部の取付面を補正するためのものである。支点枠４４とネジボス４５は、円形壁４２を中にして一直線上に設けられている。
【００１８】
また、４６は一方の対角が尖った金属からなる菱形の橋絡板、４７はネジである。円形壁４２等からなるスピーカ機構４０の固定状態を示す平面図が、図１２１２に示されている。４６ａは橋絡板４６の中央に貫設されたスピーカ４のマグネット部が挿通する挿入孔、４６ｂは支持枠４４に係止される一方の尖端の支点部、４６ｃは他端側の固定孔である。そして、円形壁４２内にスピーカ４のコーン部を挿入して、スピーカ４が橋絡板４６により片持ち梁型に取付面９に平行になって蓋体２Ａの裏面に一本のネジ４７で固定される。単一ネジで固定できる片持ち梁型の橋絡板４６を利用するので、スピーカ４の固定構造が簡素化される。特に、橋絡板４６を菱形に形成したので、矩形材に比較して小形な板材を用いることが可能で構造が一層簡単で材料費も安価になる。
【００１９】
III.押し釦機構前記した懸架機構３０の右側に隣接して、類似構造の複数の押し釦や表示器等で構成された操作部５が配置されている。図１３において、５０は押し釦機構、５１は硬質樹脂を用いた押し釦、５２はパネル５ａを貫通した長方形の釦穴、５３は蓋体２Ａの成型時に蓋板２１に形成された類似構造の複数のＷ字状のバネ体、５４はバネ体５３と一体で長さＬｘが可変な作動桿である。押し釦５１は鍔板を残して下側から釦穴５２内に下動自在に挿入され、作動桿５４の下端は第１基板６上のタクトスイッチ５５に対向する。
【００２０】
このような押し釦機構５０が複数設けられ図１と図５に示すように、各押し釦機構５０ａ，５０ｂ…（５０は総称）は何れも押し釦５１を蓋体２Ａの表面で半径ｒ１の円弧面に沿って露出させて、図面上の上下方向に一列に並んで設けられている。そして、図１３に示すように、作動桿５４の長さＬｘを蓋体２Ａの中央よりの押し釦５１ほど、その作動桿５４の長さＬｘが長くなるように選択して、パネル５ａの半径ｒ１の円弧状の操作面に同一の露出量で露出した押し釦５１の高さの差が補償される。この結果、蓋体２Ａの樹脂成型時に簡単に作動桿５４の長さＬｘが設定されて、同一形状の押し釦５１を共通的に使用できる利点がある。即ち、表面が円弧状に形成され、各押し釦５１と第１の基板６との距離が異なっていても、作動桿５４の長さを可変にすることで、同一の押し釦５１を使用したまま、表面からの突出量を同じにできる。
【００２１】
図７，図８において、５６は押し釦機構５０の隣に設けられた表示器、５７は設定器、５８ａ，５８ｂ（押し釦５８ｂは休止されている…図１参照）はバネ体５３を応用した非常用の押し釦を組み付けるための各下地部である。表示器５６に対応して蓋体２Ａの背面には格子状の仕切枠５６ａが設けられ、この下地部の仕切枠５６ａ内の各仕切にはそれぞれ第１基板６に実装されたＬＥＤを包囲して投射光の照射領域を各仕切枠５６ａ内に規制する。このような表示器５６により、図５に表示されたように“外出・在宅”や“管理室”等の住戸の居住者の留守情報や情報の連絡先等が点灯表示される。また、表示器５６の点灯表示には、“火災”，“非常”，“ガス漏れ”等のセキュリティ情報等も加えられている。設定器５７は、蓋体２Ａに開口を有し、この開口を通して例えば第１基板６に実装されたディップスイッチ等を操作して部屋番号等が設定できる。即ち、蓋体２Ａを本体２Ｂから外さずに、設定操作を行うことができ、しかも通常時は暗色のパネル５ａによって覆われているので、第３者によって、勝手に設定内容が変更されるのを防止できる。
【００２２】
IV．摺動機構周壁２６の切欠部に対応する蓋体２Ａにおける右寄りの下部周壁２２に、呼出音の音量を調節するための摺動機構６０が設けられる（図８）。６１は蓋体２Ａの内面に形成された線状の突条片、６２は突条片６１の中心部に対面して周壁２２に貫設された摺動溝である（図２，８）。突条片６１は周壁２２と一定の間隔ｇを隔てて、平行に形成されている。６３は摺動体である（図１４R>４）。６３ａは対の腕片６３ｂと脚片６３ｃを設けた摺動板、６３ｄは頭部に摘み６３ｅを形成した断面コ字形の係合桿である。摺動板６３ａの両端で幾分外側に張り出した一対の腕片６３ｂは、スリ割で弾性的に変形自在に形成されている。摺動体６３にはポリアセタールのような潤滑性で摩擦がなく且つ弾性を有する樹脂材が用いられ、その形状を図１４の（ａ）〜（ｄ）に三角画法で示されていてる。
【００２３】
図１４（ｅ）は図（ａ）のＡ−Ａ断面図である。また、図１４（ｆ）は蓋体２Ａの背面の周壁２２と突条片６１の間へ摺動体６３を取り付けた状態を示す斜視図である。係合桿６３ｄは摘み６３ｅを突出させて摺動板６３ａに交差して連結され、図（ｅ）に示すように摺動体６３の全体の断面形状がほぼ“七字形”に成型されている。腕片６３ｂから脚片６３ｃまでの長さＧは、突条片６１と周壁２２との間隔ｇよりやや大きく成型されている。成型された摺動体６３は摘み６３ｅを内側より摺動溝６２に挿入してから、摺動板６３ａを蓋体２Ａの内面に押し付けて腕片６３ｂを変形させながら一対の脚片６３ｃの先端を突条片６１の間に押し込む。この操作で摺動体６３が間隔ｇ内に嵌着されて、摺動機構６０が周壁２２の所定の位置に組み付けられる。
【００２４】
そして、周壁２２の外側に露出した摘み６３ｅを摺動させることにより、摺動体６３が摺動溝６２の横幅ｗの範囲内で周壁２２に沿って追随して摺動することになる。その後、住宅情報盤１が組み立てられると、コ字形の係合桿６３ｄが第１基板６に取り付けられたスライド抵抗器６４（図８）のアクチュエータに係合する。この結果、前記のようにこの摺動機構６０を利用して、スピーカ４の音量が調節される。この際、蓋体２Ａの前面に表示された標識６５（図７）の３個の丸の大小が、調節される呼出し音量の大きさの目安として利用される。摺動体６３を一体成型の単一部品で構成したので製作が容易かつコスト安になるばかりか、滑り易い樹脂材を用いたので摺動切換が円滑になる。しかも、摺動体６３は突条片６１と周壁２２の間に嵌着されているので、蓋体２Ａから外れて落下することがない。
【００２５】
Ｖ．位置決め機構引き続いて、図９〜１１に示した本体２Ｂ側の機構の説明に移る。本体２Ｂの内部構造を示す図９と図１０において、７１は右側の側壁２４の上下で“ハの字状”に向かい合う当て板、７２は底板２３に平行な押さえ片７２ａを下部に有する３個の押えリブ、７３は左側壁に形成された三角形の滑りリブである。また、７４は爪を向い合わせた底板２３上の係止爪、７５は中央や右側の側壁の付近に縦に一列に並んだ複数の支えリブ、７６は円柱状のネジボスである。係止爪７４と支えリブ７５の構造が、図１５の（ａ）と（ｂ），（ｃ）に示されている。
【００２６】
支えリブ７５は図１５（ｂ），（ｃ）に示すように、例えば長方形の角柱の対向面に三角翼形の補強片７５ａを付設したような形状に作られている。そして、この支えスタッド７５を含めて当て板７１と押さえリブ７２等からなる成型部材により、鍵形の第２基板７の位置決め機構７０が構成されている。一対の当て板７１と係止爪７４間の平均距離は、それぞれ第２基板７の右辺と左辺の長さＹ２とＹ１にほぼ等しくなっている（図９）。また、収容室２０内の係止爪７４，押さえ片７２ａ，支えリブ７５，ネジボス７６のそれぞれの高さは、第２基板７の収容高さに関連して設定されている。
【００２７】
而して、先ず、第２基板７の右辺をやや下に傾けながら収容室２０内に差し込み（図１０の中抜き矢印）、上下の角部を“ハの字状”の当て板７１に押し当てる。押し当てた第２基板７の左辺側を滑りリブ７３に沿って滑り落とすと、第２基板７が右辺寄りに並んだ支えリブ７５の先端に接触する。そのまま左辺側を落し込むと、接触した支えリブ７５を支点にして右端側が上昇する。さらに押し下げると、左辺部が上下の係止爪７４の向かい合った爪を押し開いて係止され、同時に右辺側が押さえ片７２ａに押し付けられる。
【００２８】
この結果、第２基板７が所定の高さと位置に自動的に位置決めされて、複数の支えリブ７５上に載置される。その後、僅かな個数の固定用のネジをネジボス７６に螺合して、第２基板７が本体２Ｂに固定される。第２基板７を収容室２０内に突出して支える支えリブ７５は、上記のように細い角柱に三角翼形の補強片７５ａを付けた構造が採用されている。したがって、円柱状のネジボス７６等に比べると本体２Ｂ上の占有面積が遥かに少なくなり、本体２Ｂの樹脂の成型に当たっても熱容量が小さく品質を落とす“ヒケ”等の発生を抑制することもできる。また、支えリブ７５の第２基板７との接触面も狭い面積で済むので、第２基板の実装面積を広げることになり、結果的に装置の小型化の実現が可能になる。
【００２９】
VI．トランス機構鍵形の第２基板７の左下の切り落とし部には、電源トランス８が簡潔な構造のトランス機構８０によって本体２Ｂに固定される。図１６（ａ）に電源トランス８の固定状態が示されている。８１は電源トランス８の鉄心、８２は巻線、８３はコイルフレーム、８４は四隅にネジを通す楕円形の固定孔８４ａを設けた固定板、８５はネジである。また、８６は本体２Ｂの側壁２４に庇状に張り出した突出壁、８７と８８は共に２本の固定ボスとネジボスである。固定ボス８７の先端に設けられた嵌合用の円柱状のボス８７ａの下方には、半円形の段違いの段部８７ｂと８７ｃが形成されている。
【００３０】
そして、突出壁８６と固定ボス８７およびネジボス８８の高さや位置は、電源トランス８の形状に合わせて収容室２０内に成型されている。電源トランス８の本体２Ｂへの組み付けは、次のように行われる。図１６１６（ｂ）に示すように、電源トランス８を左下がりに傾けてから、巻線８２の部分を２本の固定ボス８７の間に差し込む。差し込んだ電源トランス８の左側の固定孔８４ａが２本の固定ボス８７上に達したときに、固定孔８４ａをボス８７ａに嵌め合わせる。
【００３１】
ボス８７ａの嵌合後、電源トランス８の右端側を下げてから、右側の固定板８４をネジボス８８上に押し付ける。押し付けた右の固定板８４の固定孔８４ａに挿入した２本のネジ８５を締め付けて、電源トランス８を本体２Ｂに固定することができる。２本のネジ８５の締め付けで、左側の固定板８４が庇型に張り出した突出壁８６の下面に圧接される。このようにコイルフレーム８３の圧接と固定孔８４ａの嵌合によって、電源トランス８が僅か２本のネジ８５で固定されることになる。固定孔８４ａにボス８７ａが嵌合しているので、トランス８は横滑りが発生しない。
【００３２】
VII.装着機構上述のようにして収容室２０内に電源トランス８が収容されると、本体２Ｂが住戸の壁面等の取付面９に取り付けられる。壁面等に取り付けられた本体２Ｂには、蓋体２Ａが前面に被されてからネジを利用して装着されることになる。蓋体２Ａを本体２Ｂの前面に装着するための装着機構９０は、蓋体２Ａ側の螺送部９０Ａと本体２Ｂ側の螺入部９０Ｂで構成され、その具体的な構造が図１７R>７に示されている。９１は周壁２２の内面に突出して形成された螺送部９０Ａ側の段付きの突出部、９２は突出部９１の中心に貫通された挿通孔である。９２ａはオリフィス状の保持片で、挿通孔９２内に設けられた段部に形成されている。ここでは、保持片９２ａは図１７の（ａ）と（ｂ）に示すように、挿通孔９２の内周面に軸心方向に形成された３個の薄肉の円弧片で構成されている。
【００３３】
また、９３は装着用の括れネジで、頸部が先端のネジ部より細径に形成されている。括れネジ９３は挿通孔９２に押し込まれ、やや小さい孔径の保持片９２ａに括れ部が挾着されて螺送部９０Ａ内に保持されるようになっている。なお、図８の９４は掛け爪で、周壁２２の上辺に３個設けられて装着機構９０の装着のための共同的な補助機能を司る。一方、本体２Ｂ側には、ブロック状の螺入部９０Ｂがフランジ２５の内面に設けられている。９５は螺入部９０Ｂの上下方向に沿って形成されたＵ字溝、９６はＵ字溝９５の奥のナット室、９７はナット室９６内に嵌装された長方形の板ナット（角ナット）、９８はナット室９６の入口に設けられた可動片である。
【００３４】
可動片９８は両側が細いスリット９８ａに囲まれて弾性が与えられ、平常状態ではナット室９６の入口を封鎖している。ナット室９６の底には、板ナット９７を保持するナット受け９６ａが設けられている（図１１１１）。この他、周壁２６には前記掛け爪９４に対応する掛け孔９９が３箇所に穿設されている（図６）。蓋体２Ａを本体２Ｂに取り付けるときは、予め括れネジ９３を保持片９２ａに挾着させて蓋体２Ａの螺送部９０Ａ内に保持させて置く。上辺部３箇所の掛け爪９４を掛け孔９９に係合させて、蓋体２Ａを本体２Ｂの前面に被せる。蓋体２Ａの周壁２２が本体２Ｂの周壁２６に嵌め合わされると、螺入部９０Ｂと螺送部９０Ａの相対的な位置が一致する。
【００３５】
そこで、ドライバを使って保持片９２ａに保持された括れネジ９３を、螺入部９０Ｂに挿し込む。挿し込まれた括れネジ９３はＵ字溝９５にガイドされて、真っ直ぐ螺入部９０Ｂの奥まで挿入される。そこで、ドライバを回すと括れネジ９３が回されて、ナット室９６内の板ナット９７に螺合する。括れネジ９３の先が板ナット９７を抜けると、段付きの突出部９１の先端が螺入部９０Ｂに接触して過剰な締め付けを防止する。このような構成の本発明の装着機構９０によれば、簡単な構成で固定用のネジの紛失が発生しない。また、蓋体２Ａの装着時に、固定用のネジが真っ直ぐに挿入されてネジ山の入口が囓られて崩れるようなこともなく、余分な締め付けで薄い樹脂製の周壁２２や周壁２６が亀裂したり変形するようなこともない。括れネジ９３による締め付け状態が、図１７（ｃ）に示されている。
【００３６】
こうして装着機構９０により蓋体２Ａが本体２Ｂに装着されて、壁面等を取付面９とした住宅情報盤１が住戸に設置される。各住戸に設置された本発明の住宅情報盤１の実施例が、図１８の模式図で示されている。図１８において、１１は玄関先のドアホン、１２はドアホン１１を介して住宅情報盤１に接続された火災感知器、１３はガス漏れ警報器である。図１８の実施例において、例えば火災又はガス漏れが発生すると火災感知器１２又はガス漏れ警報器１３が作動して、表示器５６の各表示枠内でＬＥＤが点滅し、放音孔４１を通してスピーカ４から警報が音声によって報じられる。
【００３７】
なお、上述の本発明の実施の形態では壁面取付型の住宅情報盤の筐体に適用した場合を例示して説明したが、内部に収容物を収容するものであれば平面的に使用する電子機器以外の筐体でもよく、要するに筐体及びその筐体を用いた電子機器であれば全て本発明を適用することができる。さらに、実施の形態で説明した押し釦機構や装着機構等で示したバネ体や括れネジ、或いは摺動機構の摺動体等の形状や材質等についても、必ずしも実施の形態に限定するものではない。
【００３８】
本発明は、本体と蓋体の周壁との対向壁に螺入部と螺送部を形成し、螺入部と螺送部間をナットとネジを螺合して蓋体を本体に装着する樹脂製の筐体において、螺送部の挿入孔にネジより細径でネジを螺送可能に保持する保持片を設けた筐体を構成した。また、上記の手段において、ネジの頸部に括れ部を設けた括れネジを用い、括れネジの括れ部を保持片により螺送可能に保持させた筐体を構成した。この構成の結果、簡単な構成で点検時の組み付け動作等に時間が掛からず、固定用のネジの紛失も発生しない。また、蓋体の装着時に固定用のネジが螺入部にガイドされて、真っ直ぐに挿入されてネジ山の入口が崩れるようなこともなく、余分な締め付けで樹脂製の薄肉の周壁が亀裂したり変形するようなこともない。さらに、ネジに括れネジを用いれば、ネジがネジ山のない括れ部で保持されるのでネジの螺送が円滑になる。
【００３９】
また、本発明は、本体と蓋体の周壁との対向壁に螺入部と螺送部を形成し、螺入部と螺送部間をナットとネジを螺合して蓋体を本体に装着する樹脂製の筐体において、螺入部に弾性的に変位する可動片によって入口が封鎖されたナット室を形成し、可動片を変位させてナットをナット室内に着脱可能に収容した筐体を構成した。この構成の結果容易に、ワンタッチでナットを固定することができ、また任意のピッチのネジを選択して、蓋体を本体に装着することができる。また、ナットに不具合が発生したときは、新しいナットに交換して使用することも可能になる。
【００４０】
また、本発明は、操作部が設けられて送受話器を懸架する蓋体を、壁面等に取り付けられた本体また、本発明は、操作部が設けられて送受話器を懸架する蓋体を、壁面等に取り付けられた本体の前面に装着して、内部の収容室内に電子部品を収容した筐体を用いた電子機器において、蓋体における前面の左側辺に送受話器の把持部に対向する凹穴部を形成した筐体を用いた電子機器を構成した。この構成の結果、筐体と送受話器に薄型の感覚を与える調和のとれた円弧面を形成したので、優れたデザインで商品価値が高められることは勿論のこと、尖った角部で怪我をするようなことも発生しない。また、送受話器の懸架状態においては、小さい半径の円弧を持つ把持部が球面状の凹穴部の前面で間隔を空けて対向させているので、放音孔の配置位置を送受話器の懸架位置と重複させているにも拘わらず、放音孔の放音動作に支障を与えることがない。しかも、凹穴部により蓋体の左側辺が抉られているので、指先を差し込んで把持部を握る左手の把持動作も極めて容易になる。
【００４１】
本発明は、筐体に設けられた放音孔の背面側にスピーカを固定して収容室内に収容した筐体を用いた電子機器において、スピーカの励磁部が挿入される挿入孔を中央に設けた橋絡板を備え、橋絡板の挿入孔にスピーカの励磁部を嵌め合せて放音孔の背面に形成された支持枠とネジボス間を橋絡してスピーカを片持ち梁型に筐体を固定した電子機器を構成した。また、上記の手段において、橋絡板を菱形に形成した筐体を用いた電子機器を構成した。この構成の結果、単一ネジでスピーカを固定する片持ち梁型の橋絡板を利用するので、スピーカの固定構造が簡素化される。特に、橋絡板を菱形に形成したので、矩形材に比較して小形な板材を用いることが可能で構造が一層簡単かつ安価になる。
【００４２】
また、本発明は、円弧状の操作面に複数の押し釦を並べて露出させた操作部が設けられ、操作部に対応する背面側にスイッチ部品を実装した基板を固定してなる蓋体を有する樹脂製の筐体を用いた電子機器において、蓋体の背面に押し釦に対応して成型されたバネ体の下部に一体に形成された複数の作動桿を備え、複数の作動桿の長さに差を設けて複数の押し釦の露出量を均一に保持した筐体を用いた電子機器を構成した。この構成の結果、作動桿の長さを選択して、円弧状の操作面に同一の露出量で露出した押し釦の高さの差が補償される。よって、蓋体の樹脂成型時に簡単に作動桿の長さが設定されて、同一形状の押し釦を共通的に使用できる。つまり、蓋体が基板と平行でなく円弧状の場合には、作動桿の長さが同じだと、数種類の長さの異なる押し釦を用意して、基板上のスイッチとの高さを調節しなければならないが、本発明では作動桿の長さを押し釦の位置にあわせて設定し、スイッチとの高さをあわせているので、押し釦は一種類だけ用意すればよい。
【００４３】
また、本発明は、周壁に設けられた摺動溝に露出した摘みにより摺動体を摺動させて、摺動体に連結されて摘みの摺動に追随して摺動して調整される被調整体を内部の収容室内に収容した筐体を用いた電子機器において、周壁と周壁に平行して形成された突状片との間に潤滑性の樹脂材で成型された断面がほぼ七字形の摺動体の摘みを摺動溝に挿入して摺動可能に嵌着した筐体を用いた電子機器を構成した。また、上記の手段において、摺動体による被調整体の調整量を、蓋体の表面に並べられた大きさの異なる複数の丸い標識で表示した筐体を用いた電子機器を構成した。この構成の結果、摺動体の脱落を防止することが可能となり、また摺動体を一体成型の単一部品で構成したので製作が容易かつコスト安になるばかりか、滑り易い樹脂材を用いたので摺動切換が円滑になる。また、蓋体の表面に並べて表示された大きさの違う丸い標識で調整量が判断できるので、わかり易く調整操作を間違うことが少ない。
【００４４】
また、本発明は、蓋体が装着されて底板の四辺が側壁で囲まれた本体の内部の収容室内に回路部品を実装した基板を底板に固定して収容してなる樹脂製の筐体を用いた電子機器において、側壁における一側壁下部の底板上に基板の角部が接触する一対の当て板を設けた筐体を用いた電子機器を構成した。また、上記の手段において、当て板は、互いに対向したハの字型であり、当て板を形成した側壁に底板に平行な押さえ片を有する押さえリブを設けると共に、側壁の対向側壁に滑りリブを設けた筐体を用いた電子機器を構成した。また、上記の手段において、筐体の内壁面に先端に向かって縮小する翼片を有する位置決め用のリブを形成した筐体を用いた電子機器を構成した。この構成の結果、ハの字型の一対の当て板に基板の角を接触させて、取付位置が自動的に決定される。また、一方の側壁に設けられて押さえ片を有する押さえリブと対向壁の滑りリブを利用すれば、基板を所定の高さに落とし込むことができ組立や調整のときの分解に役立つことになる。さらに、細い角柱に三角翼形の補強片を付けた構造の支えリブによれば、円柱状のネジボス等に比べると立設面の占有面積が遥かに少なくなり、樹脂の成型に当たって熱容量が小さく品質を落とす“ヒケ”等の発生を抑制することができる。また、支えリブの基板との接触面も少ないので、基板の実装面積を広めて結果的に装置の小型化の実現が可能になる。
【００４５】
また、本発明は、蓋体が装着されて四辺が側壁で囲まれた本体の底板に電源トランスを固定して、電源トランスを収容室内に収容してなる樹脂製の筐体を用いた電子機器において、側壁に電源トランスの端部の上面が圧接される突出壁を形成すると共に、突出壁側の電源トランスの一端を支持する固定ボスと他端をネジ止めするネジボスとを底板上に設けた筐体を用いた電子機器を構成した。この構成の結果、電源トランスが僅かなネジで固定される。また、固定ボスには嵌合ボスが設けられているので、トランスの横滑りが阻止される。
【００４６】
さらに、本発明は、本体と、本体に取り付けられる蓋体とからなる筐体を備え、蓋体内に設定用のスイッチを有する基板が設けられる筐体を用いた電子機器において、蓋体の設定用のスイッチと対向する部分に開口を設け、蓋体の表面に暗色のパネルを設けて、開口を塞いだ筐体を用いた電子機器を構成した。この構成の結果、設定器は通常時は暗色のパネルによって覆われているので、第３者によって勝手に設定内容が変更されるのを防止できる。
【００４７】
以上説明したように、本発明によれば、簡単な構成で蓋体の固定用のネジの紛失や樹脂成型時の“ヒケ”の発生を防止すると共に、筐体と送受話器の輪郭形状に薄型で調和のとれた円弧面を積極的に取り入れて優れたデザインで商品価値を高め、しかも怪我がなく取扱が便利になる等の種々の特長を備えた筐体及びその筐体を用いた電子機器を提供することができる。
【図面の簡単な説明】
【００４８】
【図１】本発明の実施の形態１の構成を示す正面図である。
【図２】図１の底面図である。
【図３】図１の左側面図である。
【図４】図１の右側面図である。
【図５】表示部の表示状態を示す正面図である。
【図６】内部構造を示す筐体の縦断面図である。
【図７】蓋体の成型構造を示す前面図である。
【図８】図７の背面図である。
【図９】本体の成型構造を示す前面図である。
【図１０】図９の横断面の説明図である。
【図１１】図９の背面図である。
【図１２】スピーカ機構の平面図である。
【図１３】押し釦機構の断面図である。
【図１４】摺動体の構造を示す説明図である。
【図１５】係止爪と支えリブの構造を示す説明図である。
【図１６】トランス機構の説明図である。
【図１７】装着機構の説明図である。
【図１８】本発明の実施例の構成を示す説明図である。
【符号の説明】
【００４９】
１ 住宅情報盤、２ 筐体、２Ａ 蓋体、２Ｂ 本体、３ 送受話器、４ スピーカ、５ 操作部、５ａ パネル、６ 第１基板、７ 第２基板、８ 電源トランス、２０ 収容室、２１ 蓋板、２２ 周壁、２３ 底板、２４ 側壁、２６周壁、３０ 懸架機構、３１ 凹穴部、３２ 懸架部、３５ 把持部、３７引っ掛け孔、４０ スピーカ機構、４１ 放音孔、４２ 円形壁、４４ 支点枠、４５ ネジボス、４６ 橋絡板、４６ａ 挿入孔、４７ ネジ、５０ 押し釦機構、５１ 押し釦、５３ バネ体、５４ 作動桿、６０ 摺動機構、６１ 突条片、６２ 摺動溝、６３ 摺動体、６３ａ 摺動板、６３ｄ 係合桿、６３ｅ摘み、６５ 標識、７０ 位置決め機構、７１ 当て板、７２ 押えリブ、７２ａ 押さえ片、７３ 滑りリブ、７４ 係止爪、７５ 支えリブ、７５ａ 補強片、７６ ネジボス、８０ トランス機構、８６ 突出壁、８７ 固定ボス、８７ａ ボス、８７ｂ，８７ｃ 段部、８８ ネジボス、９０ 装着機構、９０Ａ 螺送部、９０Ｂ 螺入部、９１ 突出部、９２ａ 保持片、９３ 括れネジ、９６ ナット室、９７ 板ナット、９８ 可動片、ｇ 間隔、Ｇ 長さ、Ｌｘ長さ、ｒ１，ｒ２ 半径  tt
【図１】
2005347744.tif 000003
【図２】
2005347744.tif 000004
【図３】
2005347744.tif 000005
【図４】
2005347744.tif 000006
【図５】
2005347744.tif 000007
【図６】
2005347744.tif 000008
【図７】
2005347744.tif 000009
【図８】
2005347744.tif 000010
【図９】
2005347744.tif 000011
【図１０】
2005347744.tif 000012
【図１１】
2005347744.tif 000013
【図１２】
2005347744.tif 000014
【図１３】
2005347744.tif 000015
【図１４】
2005347744.tif 000016
【図１５】
2005347744.tif 000017
【図１６】
2005347744.tif 000018
【図１７】
2005347744.tif 000019
【図１８】
2005347744.tif 000020